【手続補正書】
【提出日】平成17年8月16日(2005.8.16)
【手続補正１】
【補正対象書類名】特許請求の範囲
【補正対象項目名】請求項２０
【補正方法】変更
【補正の内容】
【請求項２０】
光学格子の反対側の基板表面に被覆された反射防止誘電性被覆をさらに含む、請求項１に記載のバイオセンサー。
【手続補正２】
【補正対象書類名】特許請求の範囲
【補正対象項目名】請求項２８
【補正方法】変更
【補正の内容】
【請求項２８】
第１および第２の表面を有する光学格子、電気伝導性で光学的に透明な材料を含む光学格子；
マスター格子構造と基板層との間に液体を分配した後に液体を硬化させることによりマスター格子構造から複製された光学格子；
を含むバイオセンサーであって、
光学格子は硬化した液体を含み、第２の表面は基板層と接触し、また、光学格子は深さと周期を有する特徴を含み、光学格子の第１の表面は絶縁体で被覆されており、
バイオセンサーが照らされるときに共鳴格子効果が反射した放射スペクトル上で発生し、光学格子の深さおよび周期が共鳴格子効果の波長より短い、バイオセンサー。
【手続補正３】
【補正対象書類名】特許請求の範囲
【補正対象項目名】請求項４１
【補正方法】変更
【補正の内容】
【請求項４１】
（ａ）請求項１または２８に記載のバイオセンサーを光で照らすこと；
（ｂ）バイオセンサーから反射した光の波長を検出すること；
（ｃ）１またはそれ以上の結合パートナーを含む試験サンプルをバイオセンサーに適用すること；
（ｄ）バイオセンサーを光で照らすこと；および
（ｅ）バイオセンサーから反射した光の波長を検出すること；
を含む、試験サンプル中の１またはそれ以上の結合パートナーの量を測定する方法であって、
工程（ｂ）および工程（ｅ）の光の波長の違いが試験サンプル中の１またはそれ以上の結合パートナーの量の測定値である方法。
【手続補正４】
【補正対象書類名】明細書
【補正対象項目名】００３９
【補正方法】変更
【補正の内容】
【００３９】
本発明の他の態様は、高屈折率材料を含み、上面および底面を有する第１の光学格子；高屈折率材料を含み、上面および底面を有する第２の光学格子、を含むバイオセンサーまたは光学装置を提供し、ここで、第２の光学格子の上面が第１の光学格子の底面に結合する。バイオセンサーまたは光学装置が照らされるときに２つの共鳴格子効果が反射した放射スペクトル上で発生し、両方の光学格子の深さおよび周期は共鳴格子効果の波長より短い。基板層は、第２の光学格子の底面を支持することができる。バイオセンサーは、１またはそれ以上の特異的結合物質または第１の光学格子の上面に固定化された結合パートナーに結合した１またはそれ以上の特異的結合物質をさらに含むことができる。バイオセンサーまたは光学装置は、第１の光学格子の上面に被覆層をさらに含むことができ、ここでは、１またはそれ以上の特異的結合物質が光学格子の反対側の被覆層の表面に固定化される。第１の光学格子の上面は、試験サンプルと物理的に接触することができ、第２の光学格子は、試験サンプルと物理的に接触しなくてもよい。ピーク共鳴反射波長は、第１および第２の光学格子により測定することができ、２つの測定値の違いは、第１の光学格子表面上に堆積した１またはそれ以上の特異的結合物質、結合パートナー、またはその両方の量を示す。
【手続補正５】
【補正対象書類名】明細書
【補正対象項目名】００４０
【補正方法】変更
【補正の内容】
【００４０】
本発明のさらに他の態様は、高屈折率材料を含み上面および底面を有する第１の光学格子；高屈折率材料を含み上面および底面を有する基板層であって、基板の上面が第１の光学格子の底面を支持する基板層；上面および底面を含む第２の光学格子であって、第２の光学格子の底面が基板の底面に結合する光学格子；を含む、バイオセンサーまたは光学装置を提供する。バイオセンサーまたは光学装置が照らされるときに２つの共鳴格子効果が反射した放射スペクトル上で発生し、両方の光学格子の深さおよび周期は共鳴格子効果の波長より短い。バイオセンサーは、１またはそれ以上の特異的結合物質、または第１の光学格子の上面に固定化された結合パートナーに結合した１またはそれ以上の特異的結合物質を含むことができる。バイオセンサーまたは光学装置は、第１の光学格子の上面の被覆層をさらに含むことができ、ここでは１またはそれ以上の特異的結合物質が光学格子の反対側の被覆層の表面に固定化される。第１の光学格子の上面は試験サンプルと物理的に接触することができ、第２の光学格子は試験サンプルと物理的に接触しなくてもよい。ピーク共鳴反射波長が第１および第２の光学格子により測定されるとき、２つの測定値の違いは、第１の光学格子表面上に堆積した１またはそれ以上の特異的結合物質、結合パートナー、またはその両方の量を示すことができる。
【手続補正６】
【補正対象書類名】明細書
【補正対象項目名】００５０
【補正方法】変更
【補正の内容】
【００５０】
本発明の１つの態様は、ＳＷＳバイオセンサーを提供する。ＳＷＳバイオセンサーは、光学格子、光学格子を支持する基板層、および基板層の反対側の２次元格子表面に固定化された１またはそれ以上の特異的結合物質を含む。
【手続補正７】
【補正対象書類名】明細書
【補正対象項目名】００７５
【補正方法】変更
【補正の内容】
【００７５】
共鳴反射構造または透過フィルタ構造は、同心円パターンに配置された光学格子を含むことができる。共鳴反射構造または透過フィルタ構造は、穴または突起物の六角形格子を含むこともできる。これらの構造が照射光ビームで照らされるときに、照らされる光ビームの照射偏光角に独立した反射した放射スペクトルが発生する。これらの構造が照らされるときに、共鳴格子効果が反射した放射スペクトル上で発生し、ここでは光学格子または穴若しくは突起物の六角形格子の深さおよび周期は、共鳴格子効果の波長よりも短い。これらの構造は、構造が広周波数帯の光で照らされるときに、狭周波数帯の光を反射する。
【手続補正８】
【補正対象書類名】明細書
【補正対象項目名】００７７
【補正方法】変更
【補正の内容】
【００７７】
本発明の１つの態様として、参照共鳴シグナルが、ピーク共鳴波長変位のより正確な測定のために提供される。参照共鳴シグナルは、例えば温度を含む環境の効果を相殺できる。参照シグナルは、２つの個別の共鳴波長を発生する共鳴反射上部構造を用いることにより提供できる。透明共鳴反射上部構造は、２つの下部構造を含むことができる。第１の下部構造は、上面および底面を有する第１の光学格子を含む。光学格子の上面は、格子表面を含む。第１の光学格子は、その上面に固定化された１またはそれ以上の特異的結合物質を含むことができる。第１の光学格子の上面は、試験サンプルと接触する。任意の基板層が、第１の光学格子の底面を支持するために存在してもよい。基板層は、上面および底面を含む。基板の上面は、第１の光学格子の底面に接触し、これを支持する。
【手続補正９】
【補正対象書類名】明細書
【補正対象項目名】００８４
【補正方法】変更
【補正の内容】
【００８４】
本発明の１つの態様として、第１の分子の第２の試験分子との相互作用を検出することができる。上述したＳＷＳバイオセンサーが用いられるが、その表面に固定化された特異的結合物質はない。従って、バイオセンサーは、光学格子、光学格子を支持する基板層、および任意に被覆層を含む。上述したように、バイオセンサーが照らされるときに共鳴格子効果が反射した放射スペクトル上で発生し、光学格子の深さおよび周期は、共鳴格子効果の波長より短い。